(57)【要約】【課題】刃物を用いずに手で底部の解体が容易に可能な易解体性紙容器容を提供すること。【解決手段】板紙を基材１１し表面層１２と裏面層１３がポリエチレンからなり、裏面層の内側に基材フィルム１４上に金属又は無機酸化物の薄膜１５を蒸着した蒸着フィルム１６を接着層１７を介して積層した積層シート１０からなり、四枚の側板２１，２１，２１，２１とこの側板の一枚に連設されると共に隣接する側板に接続する糊代片２２とを有する四角筒状の胴部２と、胴部の一方の開口端部に形成された頂部３と、胴部の他方の開口端部に形成された底部４とからなる紙容器１で、底部の特定部位に積層シートの板紙１１部分のみ、あるいは表面層１２を貫通して板紙１１部分に達する第１切り込みｆ、第２切り込みｇを刻設すると同時に、裏面層１３にのみ裏面層を略貫通する第３切り込みｈを刻設した。【選択図】図４
2008143552.tif 000002
【特許請求の範囲】
【請求項１】
板紙を基材（１１）とし、表面層（１２）と裏面層（１３）がポリエチレンからなり、該裏面層の内側にポリエチレンテレフタレートなどのプラスチックフィルムからなる基材フィルム（１４）上に金属または無機酸化物の薄膜（１５）を蒸着した蒸着フィルム（１６）を接着層（１７）を介して積層した積層シート（１０）からなり、  四枚の側板（２１，２１，２１，２１）とこの側板の一枚に連設されると共に隣接する側板に接続する糊代片（２２）とを有する四角筒状の胴部（２）と、この胴部の一方の開口端部に折り曲げ線を介して形成された頂部（３）と、胴部の他方の開口端部に折り曲げ線（ａ）を介して形成された底部（４）と、からなる紙容器（１）であって、
前記底部が、側板に連設された相対向する一組の底板（３１，３１）と、他の相対向する一組の妻板（３２，３２）とから形成されると共に、各底板と各妻板とは交互に順次環状に連設され、相対向する一組の底板のうち両端が直接妻板に連設された方の底板は側板に連設された第２底板（３３）と先端近傍に谷折り線（ｂ）を介して第２底板に連設された折り返し片（３４）とで形成され、
他の相対向する一組の妻板（３２，３２）は、側板に連設された折込み片（３５，３５）と、この折込み片に連設されると共に、底板（３１，３１）に連設された一対の折り返し重合片（３６，３６）で形成され、第２底板（３３）と折り返し片（３４）とで形成される底板に連設された一対の折り返し重合片（３６，３６）は、折り曲げ線を介して第２底板に連設される三角形状の第２折り返し片（３７）と、折り返し片（３４）に連設される幅狭四角形状の第３折り返し片（３８）で形成され、
各境界を折り曲げ線として、三角形状の折込み片（３５，３５）と折り返し重合片（３６，３６）との折り曲げ線を内側に折り込むようにして，相対向する妻板（３２，３２）を底板（３１，３１）間に折込み、かつ、第２底板（３２）を先にして相対向する底板（３１，３１）を内側に折込み、底板（３１）と第２底板（３３）の間に折り返し重合片（３６）、第２折り返し片（３７）に連設される第３折り返し片（３８）、第２底板（３３）に連設される折り返し片（３４）をそれぞれ重合させ、この重合部を底部シールとして接着させることにより底部が形成される紙容器において、
前記底部を構成する底部シールの、一対の妻板と側板との境界の折り曲げ線（ａ）に重なる部位と、
各妻板の一対の三角形状の折込み片（３５，３５）の外縁近傍の頂角を中心にして折り曲げ線（ａ）と平行に左右に延長した部位（ｃ）と、
三角形状の折込み片（３５，３５）の外縁近傍の頂角から折り曲げ線（ａ）を有する辺の中央に向けて折り曲げ線（ａ）に対して垂直に設けられた部位（ｄ）と、
妻板の一対の折り返し重合片（３６，３６）と隣り合う底板（３１，３１）との境界の折り曲げ線上で、前記部位（ｃ）より外方寄りの部位（ｅ）とには、積層シート（１０）を構成する板紙（１１）に表層から略中央層に達する第１切り込み（ｆ）が刻設され、
前記底部を構成する底部シールの、第２底板（３３）の略中央には積層シートを構成する板紙にのみ谷折り線（ｂ）と平行な複数本の第２切り込み（ｇ）が板紙の表層から略中央層に達するように刻設され、
前記底部を構成する底部シールの、一対の底板（３１，３１）及び一対の妻板（３２，３２）の中央の先端縁近傍に、先端に達する複数本の第３切り込み（ｈ）が裏面層（１３）のポリエチレン層にのみ刻設され、てなることを特徴とする易解体性紙容器。
【請求項２】
前記底部に形成される第１切り込み（ｆ）及び第２切り込み（ｇ）は、表面層（１２）のポリエチレンを介して板紙（１１）の略中央にまで達している切り込みであることを特徴とする請求項１記載の易解体性紙容器。
【発明の詳細な説明】
【技術分野】
【０００１】
本発明は、易解体性の紙容器に関し、特には、手で底部の解体が容易に可能な易解体性紙容器に関する。
【背景技術】
【０００２】
従来、清酒、ジュース等の液体用紙容器として、容器本体の天部を切妻屋根状に成形したゲーブルトップ型の紙容器や、容器本体の天部をフラットに成形したフラットトップ型の紙容器が広く流通している。
【０００３】
そしてこれらの紙容器を構成している積層シートとして、最近アルミニウム箔の代わりにポリエチレンテレフタレート（ＰＥＴ）フィルムに酸化珪素、酸化アルミニウムなどの無機酸化物の薄膜を蒸着した蒸着フィルムを用い、ＰＥＴフィルムを裏面側（接液面側）に配置した、例えば、ポリエチレン／板紙／エチレン−アクリル酸共重合体層／蒸着薄膜層／ＰＥＴフィルム／接着剤層／ポリエチレン等の層構成からなるものが流通している。
【０００４】
上記層構成の積層シートを用いた紙容器は、アルミニウム箔を用いた従来の紙容器と同等の耐内容物性を有すると共に、アルミニウム箔を使用していないので、使用後の容器廃棄の際も紙容器としての廃棄が可能で、使用範囲も広まっている。
【０００５】
一方、容器包装リサイクル法（正式名称「容器包装に係わる分別収集及び再商品化の促進等に関する法律」）の施行に伴い、中身を取り出した後の紙容器のリサイクルおよび廃棄時のゴミの減容化を目的として、使用後の空容器をシート状に解体する必要が生じてきた。
【０００６】
ゲーブルトップ型の紙容器を例にして紙容器の一般的な解体方法を述べる（図９参照）。
容器頂部の切妻屋根型部分のトップシール部を先ず左右に引き裂くように指で外側に押し広げ、反対側も同様に押し広げ、頂部のトップシール部分を十文字状に分離する。
【０００７】
ついで、十文字状になったトップシール部分の相対向するフラップを指でしっかりつかみ、対角線に沿って外側方向に引っ張って頂部を開口する。反対側のフラップも同様に対角線に沿って外側方向に引っ張り頂部を完全に開口する。
【０００８】
最後に胴部分と底部分を挟み等で切り開き、シート状に広げて口栓部分をむしり取るなり、切り取るなどして、残ったシート状の紙容器の内面側を洗浄し乾燥させることでリサイクル対象として処理される。一方、切り取るなどして取り除いた口栓部分はプラスチックごみとして別途リサイクル等の処分がなされる。
【０００９】
ところがゲーブルトップ型紙容器は、液体を収容する際、液もれを防止する意味から完全密封してあるため、リサイクルのために紙容器を解体しようとしても手で簡単には開封できない。特に、ＰＥＴフィルム面を裏面側（接液面側）に配置した前記層構成の紙容器では、蒸着フィルムのＰＥＴフィルム面が裏面側（接液面側、シーラント側）になることで、シール強度が安定して強くコントロールすることができるが、反面、易解体のためには、マイナス要素になっていて、上述のように底部については手指を使っての解体ができないため、底部は解体せずに挟み等の解体用具を使って胴部分と底部分を切り開いている現状である。
このため、特に底部を解体するときには，紙容器の周囲を切り離すため、少し間違えば手
を切る可能性がある。
【発明の開示】
【発明が解決しようとする課題】
【００１０】
本発明は、ＰＥＴフィルムを積層シートの構成材料として用いた特に液体充填用の紙容器における解体性に関する以上のような問題に鑑みてなされたもので、刃物を用いずに手で底部の解体が容易に可能な易解体性紙容器を提供することを課題とする。
【課題を解決するための手段】
【００１１】
本発明の請求項１の発明は、板紙を基材（１１）とし、表面層（１２）と裏面層（１３）がポリエチレンからなり、該裏面層の内側にポリエチレンテレフタレートなどのプラスチックフィルムからなる基材フィルム（１４）上に金属または無機酸化物の薄膜（１５）を蒸着した蒸着フィルム（１６）を接着層（１７）を介して積層した積層シート（１０）からなり、  四枚の側板（２１，２１，２１，２１）とこの側板の一枚に連設されると共に隣接する側板に接続する糊代片（２２）とを有する四角筒状の胴部（２）と、この胴部の一方の開口端部に折り曲げ線を介して形成された頂部（３）と、胴部の他方の開口端部に折り曲げ線（ａ）を介して形成された底部（４）と、からなる紙容器（１）であって、
前記底部が、側板に連設された相対向する一組の底板（３１，３１）と、他の相対向する一組の妻板（３２，３２）とから形成されると共に、各底板と各妻板とは交互に順次環状に連設され、相対向する一組の底板のうち両端が直接妻板に連設された方の底板は側板に連設された第２底板（３３）と先端近傍に谷折り線（ｂ）を介して第２底板に連設された折り返し片（３４）とで形成され、
他の相対向する一組の妻板（３２，３２）は、側板に連設された折込み片（３５，３５）と、この折込み片に連設されると共に、底板（３１，３１）に連設された一対の折り返し重合片（３６，３６）で形成され、第２底板（３３）と折り返し片（３４）とで形成される底板に連設された一対の折り返し重合片（３６，３６）は、折り曲げ線を介して第２底板に連設される三角形状の第２折り返し片（３７）と、折り返し片（３４）に連設される幅狭四角形状の第３折り返し片（３８）で形成され、
各境界を折り曲げ線として、三角形状の折込み片（３５，３５）と折り返し重合片（３６，３６）との折り曲げ線を内側に折り込むようにして，相対向する妻板（３２，３２）を底板（３１，３１）間に折込み、かつ、第２底板（３２）を先にして相対向する底板（３１，３１）を内側に折込み、底板（３１）と第２底板（３３）の間に折り返し重合片（３６）、第２折り返し片（３７）に連設される第３折り返し片（３８）、第２底板（３３）に連設される折り返し片（３４）をそれぞれ重合させ、この重合部を底部シールとして接着させることにより底部が形成される紙容器において、
前記底部を構成する底部シールの、一対の妻板と側板との境界の折り曲げ線（ａ）に重なる部位と、
各妻板の一対の三角形状の折込み片（３５，３５）の外縁近傍の頂角を中心にして折り曲げ線（ａ）と平行に左右に延長した部位（ｃ）と、
三角形状の折込み片（３５，３５）の外縁近傍の頂角から折り曲げ線（ａ）を有する辺の中央に向けて折り曲げ線（ａ）に対して垂直に設けられた部位（ｄ）と、
妻板の一対の折り返し重合片（３６，３６）と隣り合う底板（３１，３１）との境界の折り曲げ線上で、前記部位（ｃ）より外方寄りの部位（ｅ）とには、積層シート（１０）を構成する板紙（１１）に表層から略中央層に達する第１切り込み（ｆ）が刻設され、
前記底部を構成する底部シールの、第２底板（３３）の略中央には積層シートを構成する板紙にのみ谷折り線（ｂ）と平行な複数本の第２切り込み（ｇ）が板紙の表層から略中央層に達するように刻設され、
前記底部を構成する底部シールの、一対の底板（３１，３１）及び一対の妻板（３２，３２）の中央の先端縁近傍に、先端に達する複数本の第３切り込み（ｈ）が裏面層（１３）のポリエチレン層にのみ刻設され、てなることを特徴とする易解体性紙容器である。
【００１２】
このように請求項１記載の発明によれば、板紙を基材（１１）とし、表面層（１２）と裏面層（１３）がポリエチレンからなり、該裏面層の内側にポリエチレンテレフタレートなどのプラスチックフィルムからなる基材フィルム（１４）上に金属または無機酸化物の薄膜（１５）を蒸着した蒸着フィルム（１６）を接着層（１７）を介して積層した積層シート（１０）からなり、四枚の側板（２１，２１，２１，２１）とこの側板の一枚に連設されると共に隣接する側板に接続する糊代片（２２）とを有する四角筒状の胴部（２）と、この胴部の一方の開口端部に折り曲げ線を介して形成された頂部（３）と、胴部の他方の開口端部に折り曲げ線（ａ）を介して形成された底部（４）と、からなる紙容器（１）であって、
前記底部が、側板に連設された相対向する一組の底板（３１，３１）と、他の相対向する一組の妻板（３２，３２）とから形成されると共に、各底板と各妻板とは交互に順次環状に連設され、相対向する一組の底板のうち両端が直接妻板に連設された方の底板は側板に連設された第２底板（３３）と先端近傍に谷折り線（ｂ）を介して第２底板に連設された折り返し片（３４）とで形成され、他の相対向する一組の妻板（３２，３２）は、側板に連設された折込み片（３５，３５）と、この折込み片に連設されると共に、底板（３１，３１）に連設された一対の折り返し重合片（３６，３６）で形成され、第２底板（３３）と折り返し片（３４）とで形成される底板に連設された一対の折り返し重合片（３６，３６）は、折り曲げ線を介して第２底板に連設される三角形状の第２折り返し片（３７）と、折り返し片（３４）に連設される幅狭四角形状の第３折り返し片（３８）で形成され、各境界を折り曲げ線として、三角形状の折込み片（３５，３５）と折り返し重合片（３６，３６）との折り曲げ線を内側に折り込むようにして，相対向する妻板（３２，３２）を底板（３１，３１）間に折込み、かつ、第２底板（３２）を先にして相対向する底板（３１，３１）を内側に折込み、底板（３１）と第２底板（３３）の間に折り返し重合片（３６）、第２折り返し片（３７）に連設される第３折り返し片（３８）、第２底板（３３）に連設される折り返し片（３４）をそれぞれ重合させ、この重合部を底部シールとして接着させることにより底部が形成される紙容器において、
前記底部を構成する底部シールの、一対の妻板と側板との境界の折り曲げ線（ａ）に重なる部位と、各妻板の一対の三角形状の折込み片（３５，３５）の外縁近傍の頂角を中心にして折り曲げ線（ａ）と平行に左右に延長した部位（ｃ）と、三角形状の折込み片（３５，３５）の外縁近傍の頂角から折り曲げ線（ａ）を有する辺の中央に向けて折り曲げ線（ａ）に対して垂直に設けられた部位（ｄ）と、妻板の一対の折り返し重合片（３６，３６）と隣り合う底板（３１，３１）との境界の折り曲げ線上で、前記部位（ｃ）より外方寄りの部位（ｅ）とには、積層シート（１０）を構成する板紙（１１）に表層から略中央層に達する第１切り込み（ｆ）が刻設され、
前記底部を構成する底部シールの、第２底板（３３）の略中央には積層シートを構成する板紙にのみ谷折り線（ｂ）と平行な複数本の第２切り込み（ｇ）が板紙の表層から略中央層に達するように刻設され、
前記底部を構成する底部シールの、一対の底板（３１，３１）及び一対の妻板（３２，３２）の中央の先端縁近傍に、先端に達する複数本の第３切り込み（ｈ）が裏面層（１３）のポリエチレン層にのみ刻設されてなるので、始め、底部近傍の  妻板側の側板の両側を指で押し込むと、折り曲げ線ａに刻設された第１切り込みｆから折込み片３５と折り返し重合片３６が剥がれはじめ、あとは折り返し片３４と底板３１も横方向の底部シールを軽く折り返すようにするのみで、第１切り込みｆ、第３切り込みｈから剥がれはじめ、一度開くとあとは開封するのに特別に力を入れずに従来の頂部と同様に容易にシート状に解体することができる。
【００１３】
また、請求項２の発明は、請求項１の発明において、前記底部に形成される第１切り込み（ｆ）及び第２切り込み（ｇ）は、表面層（１２）のポリエチレンを介して板紙（１１）の略中央にまで達している切り込みであることを特徴とする請求項１記載の易解体性紙容器である。
【００１４】
このように請求項２の発明によれば、底部に形成される第１切り込み（ｆ）及び第２切り込み（ｇ）を、表面層（１２）のポリエチレンを介して板紙（１１）の略中央にまで達している切り込みとすることにより、ブランクシート製造時に第１切り込み及び第２切り込みを刻設することができ、ブランクシートの収率向上につながる。
【発明の効果】
【００１５】
このように本発明によれば、紙容器をシート状に解体するときに、底部をハサミ、カッター等の刃物を使用せずに手指で押したり、軽く引き剥がしたりするだけで容易に剥がすことができ、底部をトップ部と同様の状態で完全に開いたシートの状態で回収に出すことができる。
【発明を実施するための最良の形態】
【００１６】
本発明を一実施形態に基づいて以下に詳細に説明する。
本発明の易解体性紙容器は、例えば図1〜図８に示すように、板紙を基材（１１）とし、表面層（１２）と裏面層（１３）がポリエチレンからなり、該裏面層の内側にポリエチレンテレフタレートなどのプラスチックフィルムからなる基材フィルム（１４）上に金属または無機酸化物の薄膜（１５）を蒸着した蒸着フィルム（１６）を接着層（１７）を介して積層した積層シート（１０）からなり、四枚の側板（２１，２１，２１，２１）とこの側板の一枚に連設されると共に隣接する側板に接続する糊代片（２２）とを有する四角筒状の胴部（２）と、この胴部の一方の開口端部に折り曲げ線を介して形成された頂部（３）と、胴部の他方の開口端部に折り曲げ線（ａ）を介して形成された底部（４）と、からなる紙容器（１）である。
【００１７】
紙容器の形態は、図示した頂部が切妻屋根状に成形されたゲーブルトップ型のほかに、図示してないが頂部をフラットに成形されたフラットトップ型の紙容器であっても構わない。
【００１８】
そして、底部の後記する位置に積層シートの板紙（１１）部分のみ、あるいは表面層（１２）を貫通して板紙（１１）部分に達する第１切り込み（ｆ）、第２切り込み（ｇ）を刻設すると同時に、裏面層（１３）にのみ裏面層を略貫通する第３切り込み（ｈ）を刻設したものである。第１，第２、第３の各切り込みは、いわゆるハーフカットで、連続した直線状に設けても断続した直線状に設けてもどちらでも構わない。また、第２切り込み及び第３切込みは、各一本ずつ設けるよりも各々平行に等間隔をおいて複数本設ける方が易解体の効果が高い。
【００１９】
つぎに底部の一般的な構造と底部の成形方法についてゲーブルトップ型の紙容器を例にして記述する（図３参照）。
【００２０】
底部は、側板（２１，２１，２１，２１）に連設される相対向する一組の底板（３１，３１）と、他の相対向する一組の妻板（３２，３２）とから形成されると共に、各底板と各妻板とは交互に順次環状に連設されている。
【００２１】
相対向する一組の底板（３１，３１）のうち両端が直接妻板（３２，３２）に連設された方の底板は、側板に連設された第２底板（３３）と先端近傍に谷折り線（ｂ）を介して第２底板（３３）に連設される折り返し片（３４）とで形成される。
【００２２】
他の相対向する一組の妻板（３２，３２）は、側板に連設される折込み片（３５，３５）と、この折込み片に連設されると共に、底板（３１，３１）に連設される一対の折り返し重合片（３６，３６）で形成されている。
【００２３】
第２底板（３３）と折り返し片（３４）とで形成される底板に連設された一対の折り返し重合片（３６，３６）は、折り曲げ線を介して第２底板（３３）に連設される三角形状の第２折り返し片（３７）と、折り返し片（３４）に連設される幅狭四角形状の第３折り返し片（３８）で形成されている。
【００２４】
このような底部構造を有するブランクシート（２０）を紙容器の底部に成形する成形方法の一例を以下に述べる。
【００２５】
４枚の側板（２１，２１，２１，２１）を折り曲げ、側板の裏面と糊代片（２２）の表面を熱接着させて四角筒状の胴部を成形した後、各境界を折り曲げ線として、三角形状の折込み片（３５，３５）と折り返し重合片（３６，３６）との折り曲げ線を内側に折り込むように谷折りして、相対向する妻板（３２，３２）を底板（３１，３１）間に折込み、かつ、第２底板（３２）を先にして相対向する底板（３１，３１）を内側に折込み、底板（３１）と第２底板（３３）の間に折り返し重合片（３６）、第２折り返し片（３７）に連設される第３折り返し片（３８）、第２底板（３３）に連設される折り返し片（３４）をそれぞれ重合させ、この重合部を底部シールとして接着させることにより底部が形成される。
【００２６】
つぎに本発明の特徴である底部に刻設する切り込みについて述べる（図４〜図８参照）。
切り込みは、妻板（３２，３２）に設けられる第１切り込み（ｆ）と、第２底板（３３）に刻設される第２切り込み（ｇ）と、底板（３１）と妻板（３２）に刻設される第３切り込み（ｈ）とである。
【００２７】
第１切り込み（ｆ）は、積層シート（１０）を構成する板紙に表層から略中央層に達するまで刻設される半切れ線で、一対の妻板（３２，３２）と側板（２１，２１）との境界の折り曲げ線（ａ）に重なる部位と、各妻板の一対の三角形状の折込み片（３５，３５）の外縁近傍の頂角を中心にして折り曲げ線（ａ）と平行に左右に延長した部位（ｃ）と、三角形状の折込み片（３５，３５）の外縁近傍の頂角から折り曲げ線（ａ）を有する辺の中央に向けて折り曲げ線（ａ）に対して垂直に設けた部位（ｄ）と、妻板の一対の折り返し重合片（３６，３６）と隣り合う底板（３１，３１）との境界の折り曲げ線上で、前記部位（ｃ）より外方寄りの部位（ｅ）とに設けられる。
【００２８】
第２切り込み（ｇ）は、第２底板（３３）の略中央に谷折り線（ｂ）と平行に刻設される複数本の半切れ線で、積層シート（１０）を構成する板紙の表層から略中央層に達するように設けられる。
第１切り込み（ｆ）及び第２切り込み（ｇ）は、積層シートの表面層のポリエチレンを貫通して板紙の略中央にまで達する半切れ線としても良い。
【００２９】
第３切り込み（ｈ）は、一対の底板（３１，３１）及び一対の妻板（３２，３２）の中央の先端縁近傍に、先端に達する複数本の短い半切れ線として刻設され、積層シート（１０）を構成する裏面層（１３）のポリエチレン層にのみ刻設されてなる。
【００３０】
このような構成からなる紙容器のため、解体する際には、妻板側の両方の側板の底部近傍中央を指で押し込むと、妻板は第１切り込みから折込み片（３５）と折り返し重合片（３６）が剥がれはじめ、折り返し片（３４）と底板（３１）も横方向の底部シールを折り返すだけで、第１切り込み（ｆ）、第３切り込み（ｈ）から剥がれはじめ、一度開きはじめると特別の力を入れることなく従来の頂部の開封と同様に容易にシート状に解体することができる。
【図面の簡単な説明】
【００３１】
【図１】本発明の易解体性紙容器の一実施例を示す、斜視説明図である。
【図２】図１の紙容器を構成する積層シートの層構成の一実施例を示す断面説明図である。
【図３】図１の紙容器のブランクシートの平面説明図である（切り込みは刻設されていない）。
【図４】図３のブランクシートの妻板に刻設される第１切り込みの位置を示す平面説明図である。
【図５】図３のブランクシートの底板に刻設される第２切り込みの位置を示す平面説明図である。
【図６】第１切り込み及び第２切り込みが刻設された状態を示す、（ａ）は第１の例の断面説明図であり、（ｂ）は第２の例の断面説明図である。
【図７】ブランクシートに刻設される第３切り込みの位置を示す平面説明図である。
【図８】ブランクシートに刻設される第３切り込みの位置を示す断面説明図である。
【図９】ゲーブルトップ型紙容器の解体方法の一例を示す説明図である。
【符号の説明】
【００３２】
１‥‥紙容器
２‥‥胴部
３‥‥頂部
４‥‥底部
１０‥‥積層シート
１１‥‥基材、板紙
１２‥‥表面層、ポリエチレン層
１３‥‥裏面層、ポリエチレン層
１４‥‥基材フィルム
１５‥‥薄膜
１６‥‥蒸着フィルム
１７‥‥接着層
２０‥‥ブランクシート
２１‥‥側板
２２‥‥糊代片
３１‥‥底板
３２‥‥妻板
３３‥‥第２底板
３４‥‥折り返し片
３５‥‥折込み片
３６‥‥折り返し重合片
３７‥‥第２折り返し片
３８‥‥第３折り返し片
ａ‥‥折り曲げ線
ｂ‥‥谷折り線
ｆ‥‥第１切り込み
ｇ‥‥第２切り込み
ｈ‥‥第３切り込み
【図１】
2008143552.tif 000003
【図２】
2008143552.tif 000004
【図３】
2008143552.tif 000005
【図４】
2008143552.tif 000006
【図５】
2008143552.tif 000007
【図６】
2008143552.tif 000008
【図７】
2008143552.tif 000009
【図８】
2008143552.tif 000010
【図９】
2008143552.tif 000011